(57)【要約】【課題】解錠／施錠操作が容易であり、かつ、非通電時であっても解錠操作を行うことができる貸出処理機を提供すること。【解決手段】固定された枠体と、この枠体と着脱可能に構成された本体とからなる貸出処理機のロック機構が、一端が枠体後方に延設され他端がソレノイドに接続されたロックレバーと、施錠時にはロックレバーと係合するとともに解錠時にはロックレバーとの係合を解除した解錠姿勢で保持する保持レバーとを備えるよう構成する。【選択図】        図６
2007029533.tif 000002
【特許請求の範囲】
【請求項１】
遊技機島に固定された枠体と前記枠体に着脱可能な本体とから構成され、遊技機に並設されるとともに有価媒体を受け付けることによって当該遊技機に対する遊技媒体の貸出を行う貸出処理機であって、
遠隔操作装置からの解錠指示を受け付ける解錠指示受付手段と、
前記解錠指示受付手段が前記解錠指示を受け付けたならば、前記枠体と前記本体とのロックを解錠する施錠手段と
を備えたことを特徴とする貸出処理機。
【請求項２】
前記施錠手段は、
非通電時においても手動による前記ロックの解錠を許容する手動解錠機構を備えることを特徴とする請求項１に記載の貸出処理機。
【請求項３】
前記施錠手段は、
前記本体に回動可能な態様で設けられ、前記枠体と該本体とをロックするロックレバーと、
前記枠体に回動可能な態様で設けられ、施錠時には前記ロックレバーを係止姿勢で保持するとともに、解錠時には前記ロックレバーを解錠姿勢で保持する保持レバーと
を備えたことを特徴とする請求項１または２に記載の貸出処理機。
【請求項４】
前記本体に設けられ、前記解錠指示受付手段が受け付けた前記解錠指示に基づき、前記ロックレバーを前記係止姿勢から前記解錠姿勢へ駆動する駆動手段
をさらに備えたことを特徴とする請求項３に記載の貸出処理機。
【請求項５】
前記ロックレバーは、前記係止姿勢から前記解錠姿勢へ操作可能な態様で前記枠体の後方に延設された手動操作部を有することを特徴とする請求項３または４に記載の貸出処理機。
【請求項６】
前記施錠手段は、
前記枠体に回動可能な態様で設けられ、前記枠体と該本体とをロックするロックレバーと、
前記本体に回動可能な態様で設けられ、施錠時には前記ロックレバーを係止姿勢で保持するとともに、解錠時には前記ロックレバーを解錠姿勢で保持する保持レバーと
を備えたことを特徴とする請求項１または２に記載の貸出処理機。
【請求項７】
前記枠体に設けられ、前記解錠指示受付手段が受け付けた前記解錠指示に基づき、前記ロックレバーを前記係止姿勢から前記解錠姿勢へ駆動する駆動手段
をさらに備えたことを特徴とする請求項６に記載の貸出処理機。
【請求項８】
前記ロックレバーは、前記係止姿勢から前記解錠姿勢へ操作可能な態様で前記枠体の外部に延設された手動操作部を有することを特徴とする請求項６または７に記載の貸出処理機。
【請求項９】
前記ロックレバーは、前記枠体の上方に設けられた操作部にワイヤーあるいはリンク機構を介して接続されたことを特徴とする請求項３〜８のいずれか一つに記載の貸出処理機。
【請求項１０】
前記ロックレバーは、錠機構と接続されており、該錠機構に挿入された鍵の回動操作によって該ロックレバーを操作することを特徴とする請求項３〜９のいずれか一つに記載の貸出処理機。
【発明の詳細な説明】
【技術分野】
【０００１】
この発明は、遊技機島に固定された枠体と枠体に着脱可能な本体とから構成され、遊技機に並設されるとともに紙幣の受け入れによって遊技機に対する遊技媒体の貸出を行う貸出処理機に関し、特に、ロック機構の解錠／施錠操作が容易である貸出処理機に関する。
【背景技術】
【０００２】
従来、パチンコ店などの遊技店に設置されるパチンコ機やパチスロ機といった遊技機と並設され、遊技客によって紙幣やプリペイドカードといった有価媒体が挿入されるとパチンコ玉やメダルを貸し出す、いわゆる貸出処理機が知られている。この貸出処理機は、メンテナンス作業や交換作業を容易にするために、遊技店の遊技機島に固定された枠体と、この枠体と着脱可能に構成された本体とからなることが一般的である。
【０００３】
そして、通常時には、上記した枠体および本体はロック機構によって施錠されており、このロック機構を解錠して本体を引き出すことによってメンテナンス作業や交換作業が行われる。なお、これらの作業は、遊技店の閉店時間のみならず、遊技店の開店時間内に行われることも多い。したがって、上記したロック機構の操作性が悪いと作業時間が長引いてしまい、遊技客にも迷惑をかけてしまうことになる。
【０００４】
なお、貸出処理機のロック機構としては様々な種類が提示されている。たとえば、特許文献１には、フック機構を有するロック機構を備えた貸出処理機が開示されており、枠体から本体を取り外す際には、かかるフック機構を手動で作動させることによって解錠することとしている。また、特許文献２には、貸出処理機の前面部分に錠を備えることとし、この錠にキーを挿入して回動させることによって、上記したフック機構を解錠する技術が開示されている。
【０００５】
【特許文献１】特開平９−９４３４４号公報
【特許文献２】特開平８−１４１２０６号公報
【発明の開示】
【発明が解決しようとする課題】
【０００６】
しかしながら、上記した特許文献１の技術では、上記したフック機構が枠体と本体とが接する部分に設けられているので、このフック機構を解錠するためには、まず、隣接する遊技台を開けてからフック機構を操作する必要があった。このため、解錠操作のための作業時間を要してしまい、遊技者にも迷惑をかけてしまうという問題があった。さらに、遊技店に設置されている貸出処理機は多数にのぼるため、一台あたりの作業時間が長いことは作業全体の遅延をもたらしてしまう要因となる。
【０００７】
また、特許文献２の技術では、キーを錠に挿入して回動させる操作が求められるので、作業自体が面倒であり、特に、複数の貸出処理機について連続して作業を行う場合には、作業員の操作負担が高いうえ、特許文献１の技術と同様に作業時間が長くなってしまうという問題があった。
【０００８】
これらのことから、枠体と本体とをロックするロック機構を備えつつ、このロック機構の解錠／施錠操作が容易である貸出処理機をいかにして実現するかが大きな課題となっている。なお、かかる課題は、貸出処理機のみならず、複数のブロックからなり、これらのブロックの解錠／施錠操作を行う装置を実現する場合にも同様に発生する課題である。
【０００９】
この発明は、上述した従来技術による問題点を解消するためになされたものであって、複数のブロックをロックするロック機構を備えつつ、このロック機構の解錠／施錠操作が容易である貸出処理機を提供することを目的とする。
【課題を解決するための手段】
【００１０】
上述した課題を解決し、目的を達成するため、請求項１に係る発明は、遊技機島に固定された枠体と前記枠体に着脱可能な本体とから構成され、遊技機に並設されるとともに有価媒体を受け付けることによって当該遊技機に対する遊技媒体の貸出を行う貸出処理機であって、遠隔操作装置からの解錠指示を受け付ける解錠指示受付手段と、前記解錠指示受付手段が前記解錠指示を受け付けたならば、前記枠体と前記本体とのロックを解錠する施錠手段とを備えたことを特徴とする。
【００１１】
また、請求項２に係る発明は、上記の発明において、前記施錠手段は、非通電時においても手動による前記ロックの解錠を許容する手動解錠機構を備えることを特徴とする。
【００１２】
また、請求項３に係る発明は、上記の発明において、前記施錠手段は、前記本体に回動可能な態様で設けられ、前記枠体と該本体とをロックするロックレバーと、前記枠体に回動可能な態様で設けられ、施錠時には前記ロックレバーを係止姿勢で保持するとともに、解錠時には前記ロックレバーを解錠姿勢で保持する保持レバーとを備えたことを特徴とする。
【００１３】
また、請求項４に係る発明は、上記の発明において、前記本体に設けられ、前記解錠指示受付手段が受け付けた前記解錠指示に基づき、前記ロックレバーを前記係止姿勢から前記解錠姿勢へ駆動する駆動手段をさらに備えたことを特徴とする。
【００１４】
また、請求項５に係る発明は、上記の発明において、前記ロックレバーは、前記係止姿勢から前記解錠姿勢へ操作可能な態様で前記枠体の後方に延設された手動操作部を有することを特徴とする。
【００１５】
また、請求項６に係る発明は、上記の発明において、前記施錠手段は、前記枠体に回動可能な態様で設けられ、前記枠体と該本体とをロックするロックレバーと、前記本体に回動可能な態様で設けられ、施錠時には前記ロックレバーを係止姿勢で保持するとともに、解錠時には前記ロックレバーを解錠姿勢で保持する保持レバーとを備えたことを特徴とする。
【００１６】
また、請求項７に係る発明は、上記の発明において、前記枠体に設けられ、前記解錠指示受付手段が受け付けた前記解錠指示に基づき、前記ロックレバーを前記係止姿勢から前記解錠姿勢へ駆動する駆動手段をさらに備えたことを特徴とする。
【００１７】
また、請求項８に係る発明は、上記の発明において、前記ロックレバーは、前記係止姿勢から前記解錠姿勢へ操作可能な態様で前記枠体の外部に延設された手動操作部を有することを特徴とする。
【００１８】
また、請求項９に係る発明は、上記の発明において、前記ロックレバーは、前記枠体の上方に設けられた操作部にワイヤーあるいはリンク機構を介して接続されたことを特徴とする。
【００１９】
また、請求項１０に係る発明は、上記の発明において、前記ロックレバーは、錠機構と接続されており、該錠機構に挿入された鍵の回動操作によって該ロックレバーを操作することを特徴とする。
【発明の効果】
【００２０】
請求項１の発明によれば、遠隔操作装置からの解錠指示を受け付ける解錠指示受付手段と、解錠指示受付手段が解錠指示を受け付けたならば、枠体と本体とのロックを解錠する施錠手段とを備えるよう構成したので、ロック機構の解錠／施錠操作が容易であり、操作者の作業負担を軽減することができるという効果を奏する。
【００２１】
また、請求項２の発明によれば、施錠手段は、非通電時においても手動によるロックの解錠を許容する手動解錠機構を備えるよう構成したので、非通電時であっても解錠操作を行うことができるという効果を奏する。
【００２２】
また、請求項３の発明によれば、施錠手段は、本体に回動可能な態様で設けられ、枠体と本体とをロックするロックレバーと、枠体に回動可能な態様で設けられ、施錠時にはロックレバーを係止姿勢で保持するとともに、解錠時にはロックレバーを解錠姿勢で保持する保持レバーとを備えるよう構成したので、２本のレバーを用いたシンプルな構成をとることによって、本体の取り外しを容易かつ確実に行うことができるという効果を奏する。
【００２３】
また、請求項４の発明によれば、本体に設けられ、解錠指示受付手段が受け付けた解錠指示に基づき、ロックレバーを係止姿勢から解錠姿勢へ駆動する駆動手段をさらに備えるよう構成したので、通電時の解錠処理を自動的に行うことによって、作業員の作業負担を軽減することができるという効果を奏する。
【００２４】
また、請求項５の発明によれば、ロックレバーは、係止姿勢から解錠姿勢へ操作可能な態様で枠体の後方に延設された手動操作部を有するよう構成したので、非通電時であっても解錠操作を行うことができるとともに、枠体の左右方向に支柱などの障害物がある場合であっても手動による解錠操作を行うことができるという効果を奏する。
【００２５】
また、請求項６の発明によれば、施錠手段は、枠体に回動可能な態様で設けられ、枠体と本体とをロックするロックレバーと、本体に回動可能な態様で設けられ、施錠時にはロックレバーを係止姿勢で保持するとともに、解錠時にはロックレバーを解錠姿勢で保持する保持レバーとを備えるよう構成したので、２本のレバーを用いたシンプルな構成をとることによって、本体の取り外しを容易かつ確実に行うことができるという効果を奏する。
【００２６】
また、請求項７の発明によれば、枠体に設けられ、解錠指示受付手段が受け付けた解錠指示に基づき、ロックレバーを係止姿勢から解錠姿勢へ駆動する駆動手段をさらに備えるよう構成したので、通電時の解錠処理を自動的に行うことによって、作業員の作業負担を軽減することができるという効果を奏する。
【００２７】
また、請求項８の発明によれば、ロックレバーは、係止姿勢から解錠姿勢へ操作可能な態様で枠体の外部に延設された手動操作部を有するよう構成したので、非通電時であっても解錠操作を行うことができるという効果を奏する。
【００２８】
また、請求項９の発明によれば、ロックレバーは、枠体の上方に設けられた操作部にワイヤーあるいはリンク機構を介して接続されるよう構成したので、操作部の位置を任意に変更することによって、手動による解錠操作を容易に行うことができるという効果を奏する。
【００２９】
また、請求項１０の発明によれば、ロックレバーは、錠機構と接続されており、錠機構に挿入された鍵の回動操作によってロックレバーを操作するよう構成したので、錠機構を用いることによってセキュリティ性を向上させることができるとともに、鍵の操作でロックレバーを可動させることによって、施錠操作を簡略化することができるという効果を奏する。
【発明を実施するための最良の形態】
【００３０】
以下に添付図面を参照して、本発明に係る貸出処理機の実施例を詳細に説明する。なお、以下の説明においては、本発明の特徴部分であるロック機構を貸出処理機に適用した場合について説明するが、複数のブロックから構成される装置に対し、かかるロック機構を適用することとしてもよい。
【実施例】
【００３１】
まず、本実施例に係る貸出処理機１０の特徴について図１を用いて説明する。図１は、本実施例に係る貸出処理機１０の特徴を示す図である。なお、図１の１ａは、設置状態の貸出処理機１０を前方から見た図であり、１ｂおよび１ｃは、貸出処理機１０を上方から見た図である。
【００３２】
同図の１ａに示すように、貸出処理機１０は、パチンコ機などの遊技機１０ａに併設され、遊技客による紙幣投入やカード挿入に応答し、遊技機１０ａに対してパチンコ玉などの遊技媒体を貸し出す処理を行う装置である。
【００３３】
また、貸出処理機１０はパチンコ店のホールに多数設置され、遊技店のホールにおける通路に囲まれたエリア（以下、「島」と記載する）に固定された枠体と、この枠体と着脱可能に構成された本体とからなる。そして、故障修理などのメンテナンス時や、機器入れ替え時などには、かかる枠体と本体との接合部分に設けられたロック機構を解錠したうえで、貸出処理機１０を取り外す作業が行われる。
【００３４】
従来の貸出処理機におけるロック機構の中には、ロック機構に含まれるフック機構を手動によって解錠するものや、キーを挿入することによって解錠するものがあった。しかし、これらのロック機構は、手動による操作を前提としたものであるので、作業員の作業負荷が高いうえ、作業時間が長期化してしまうという問題があった。
【００３５】
そこで、本実施例に係る貸出処理機１０では、電動による解錠操作が可能であるとともに、手動による解錠操作も可能なロック機構を備えることとした。具体的には、通電時のみならず非通電時にも解錠操作を行うことができるように、貸出処理機１０内に手動操作が可能なロックレバーを含んだロック機構を構成するとともに、このロックレバーを後方に延設することとした。なお、このロックレバーはソレノイドに連結されており、ソレノイドを作動させることによっても解錠操作が可能である。
【００３６】
図１の１ｂ（通電時の解錠）に示すように、リモコンによる解錠を行う場合には、貸出処理機１０がリモコンによる解錠指示を受け付けると（図１の（１）参照）、貸出処理機１０はソレノイドを作動させることによってロック機構を解錠する。そして、作業者は貸出処理機１０の本体を枠体から取り外す（図１の（２）参照）作業を行うことになる。
【００３７】
一方、図１の１ｃ（非通電時の解錠）に示すように、手動による解錠を行う場合には、作業者は遊技機１０ａを開けたうえで（図１の（１１）参照）、貸出処理機１０の後方に延設されたロックレバーを解錠状態に操作し（図１の（１２）参照）、貸出処理機１０の本体を枠体から取り外す（図１の（１３）参照）。なお、後述するように、上記したロックレバーを枠体の上方に設けた操作部に連結することとすれば、遊技機１０ａを開ける手順（図１の（１１）参照）は不要となる。
【００３８】
このように、本実施例に係る貸出処理機１０では、通電時のみならず非通電時にも解錠操作を行うことができるロック機構を備えることとした。そして、このロック機構は、上記したロックレバーと、施錠時にはこのロックレバーを係止姿勢に保持するとともに、解錠時には解錠姿勢に保持する保持レバーとを用いたシンプルな構成をとっている。したがって、貸出処理機１０本体の取り外しを容易かつ確実に行うことができる。なお、かかるロック機構の詳細については後述することとする（図４〜図６参照）。
【００３９】
次に、貸出処理機１０の外観について説明する。図２は、貸出処理機１０の外観図である。同図に示すように、貸出処理機１０は遊技台１０ａと接続されており、紙幣処理部に投入された紙幣やカード処理部に挿入された遊技カードの対価としてパチンコ玉などの遊技媒体を貸し出す処理を行う装置である。たとえば、紙幣処理部に紙幣が投入されると、遊技台１０ａの表示部に金額が表示され、遊技客が貸出ＳＷを押下するごとに玉投出機構を介してパチンコ玉などの遊技媒体が貸し出される。
【００４０】
また、貸出処理機１０は、リモコンとの間で赤外線通信などを行うためのリモコンＩ／Ｆ部、遊技客や作業者の操作を受け付けるための操作部、電源供給を行うための電源部を備えている。なお、この電源部は貸出処理機１０の枠体に設けられており、本体が枠体にセットされることによって電源部からの電力供給を受ける。
【００４１】
また、同図に示したように、この貸出処理機１０は前面から見ると上下に細長い形状をしている。上記した枠体は、遊技店のホールに設けられた島に固定されるが、固定された枠体の側面には島を構成するための支柱が隣接する場合もある。したがって、上記したロック機構のロックレバーを後方に延設することが望ましい。なお、図２においては、説明の都合上、貸出処理機１０と遊技台１０ａとを離して記載しているが実際には両機器は隣接して設置される。
【００４２】
次に、上記した貸出処理機１０の配置について図３を用いて説明する。図３は、貸出処理機１０の配置例を示す図である。同図に示すように、貸出処理機１０は島コントローラを介して管理装置に接続されている。ここで、島コントローラとは、上記した島ごとに設けられ、島に設置された機器を束ねるとともに、上位装置である管理装置との中継処理を行う装置である。また、管理装置とは、島コントローラや貸出処理機１０、遊技台１０ａといった装置に指示を送ったり、作動状況や金額情報の報告を取得したりといった管理処理を行う装置である。
【００４３】
なお、同図に示した島は、遊技店のホールにおける各通路で囲まれたスペースのことを指し、遊技台や貸出処理機１０を取り付けるための枠体が固定される構造物を備えている。なお、かかる島は、遊技店に多数設けられることが通常であり、貸出処理機１０のメンテナンス作業や交換作業は、多数の貸出処理機１０を対象とすることになる。
【００４４】
次に、上記したロック機構について、図４〜図６を用いて詳細に説明する。なお、本実施例に係る貸出処理機１０が備えるロック機構は、手動操作および電動操作が可能なロックレバー５１と、このロックレバー５１を「ロックを解除した状態」で保持する保持レバー５２とを有している点に特徴がある。
【００４５】
なお、本実施例においては、ロックレバー５１を貸出処理機１０の本体１１に、保持レバー５２を貸出処理機１０の枠体に、それぞれ設けた場合について説明するが、本体１１に保持レバー５２を設け、枠体１２にロックレバー５１を設けるよう構成することもできる。また、ロックレバー５１を動作させるためのソレノイド６１は、ロックレバー５１が設けられるブロック（本体１１あるいは枠体１２）と同一のブロックに設けられることになる。
【００４６】
図４は、施錠を行う際の、ロックレバー５１および保持レバー５２の動作を示す図であり、図５は、解錠を行う際の、ロックレバー５１および保持レバー５２の動作を示す図である。また、図６は、貸出処理機１０本体の取り外し手順とロック機構との対応図である。
【００４７】
図４の説明に先立って、ロック機構が設けられる位置について図６を用いて説明しておく。図６の６ａ〜６ｃの左側にそれぞれ示した図が、貸出処理機１０の本体１１および枠体１２を横から見た図である。そして、本体１１に四角の波線で示した部分が、ロック機構の設置位置を示している。なお、同図においては、本体１１のみに四角の波線を示しているが、枠体１２の対応する部分には、上記した保持レバー５２が設けられる。また、同図においては、ロック機構（四角の波線）を２カ所に設けた場合について示しているが、ロック機構は任意の個数とすることができる。
【００４８】
次に、図４の４ａを用いて上記したロックレバー５１および保持レバー５２の配置と動作について説明する。図４の４ａに示すように、ロックレバー５１は、ロックレバー回転軸５１ａまわりに回動可能な態様で本体１１に取り付けられている。そして、このロックレバー５１は、保持レバー５２によって「ロックを解除した状態」に保持されるための係合ピン５１ｂと、保持レバー５２の保持レバー回転軸（係合ピン）５２ａにロックレバー５１を係止させるためのフック部５１ｃと、手動による操作を可能とするために枠体１２の後方に延出される手動操作部５１ｄとを備えている。
【００４９】
また、このロックレバー５１は、ロックレバー回転軸５１ａにおいて反時計まわりにバネ付勢されており、ソレノイド６１を作動させていない状態では、図４の４ａに示した位置で静止する。そして、ロックレバー５１の手動操作部５１ａと反対側の部分は、ソレノイド６１の可動部６１ａに接続されており、可動部６１ａが縮む動作を行うことによって、ロックレバー５１はロックレバー回転軸５１ａにおけるバネ付勢に逆らって時計回りに回転する。
【００５０】
保持レバー５２は、保持レバー回転軸（係合ピン）５２ａまわりに回動可能な態様で枠体１２に取り付けられている。この保持レバー５２は、ロックレバー５１の係合ピン５１ｂから押し込まれるための押込面５２ｂと、ロックレバー５１を「ロックを解除した状態」に保持するための保持面５２ｃとを備えている。そして、施錠状態では、ロックレバー５１のフック部５１ｂが保持レバー回転軸（係合ピン）５２ａに係合することになる。また、この保持レバー５２は、保持レバー回転軸（係合ピン）５２ａにおいて時計まわりにバネ付勢されており、ロックレバー５１と接していない状態では、図４の４ａに示した位置で静止する。
【００５１】
ソレノイド６１は、ロックレバー５１を解錠状態になるよう移動させる装置であり、ソレノイドを作動させた場合（励磁状態）には、可動部６１ａがソレノイド６１本体に引き込まれ、ソレノイドを停止させた場合（非励磁状態）には、可動部６１ａが初期位置に戻る動作を行う。なお、本実施例においては、ロックレバー５１を作動させるためにソレノイド６１を用いたが、これに限らず、モーターなどの駆動装置を用いることとしてもよい。
【００５２】
そして、図４の４ａにおいて示した矢印の向きに、貸出処理機１０の本体１１を枠体１２に押し込むと、図４の４ｂに示すように、上記したロックレバー５１と保持レバー５２とが係合することによって、本体１１と枠体１２とがロックされる。具体的には、本体１１を枠体１２に押し込んでいくと、ロックレバー５１の係合ピン５１ｂが保持レバー５２の押込面５２ｂに接し、保持レバー５２を反時計回りに回転させながら、最終的には、ロックレバー５１のフック部５１ｃが保持レバー５２の保持レバー回転軸（係合ピン）５２ａに係合することになる。
【００５３】
次に、解錠を行う際の、ロックレバー５１および保持レバー５２の動作について図５を用いて説明する。なお、同図の５ａには、ソレノイド６１あるいは手動操作によってロックレバー５１を時計回りに回転させきった場面を示しており、同図の５ｂには、ロックレバー５１がバネ付勢によって反時計回りに引き戻され保持レバー５２の保持面５２ｃにおいて係止している場面を示している。
【００５４】
同図の５ａに示すように、ソレノイド６１を作動させることによって、ソレノイド６１の本体側に可動部６１ａが引き込まれると（図５の（Ａ１）参照）、保持レバー５２がバネ付勢によって時計回りに回転し（図５の（Ｂ）参照）、保持面５２ｃを上にした状態で静止する。また、保持レバー５２の手動操作部５１ｄを上方に持ち上げる操作を行う（図５の（Ａ２）参照）ことによっても、同様に保持レバー５２は保持面５２ｃを上にした状態で静止する。
【００５５】
そして、同図の５ｂに示すように、ソレノイド６１を停止させると、ロックレバー５１は、バネ付勢によって引き戻されて反時計回りに回転しようとするが、保持レバー５２の保持面５２ｃによって係止されることになる（以下、「解錠姿勢」と記載する）。このように、ロックレバー５１を解錠姿勢に留めることによって、枠体１２から本体１１を引き出す作業を容易に行うことができる。
【００５６】
たとえば、リモコン操作によって複数の貸出処理機１０のロック機構を解錠姿勢にしておくこととすれば、本体１１の引き出し作業を連続して行うことが容易となる。また、手動によって貸出処理機１０のロックレバー５１を解錠姿勢にした場合であっても、解錠姿勢にする動作と、本体１１を引き出す作業とを連続して行う必要がないので、作業効率が向上する。
【００５７】
次に、図６を用いることによって、貸出処理機１０の本体１１の取り外し手順と、各取り外し手順におけるロック機構の作動状態とを対比して説明する。なお、同図の６ａは、本体１１と枠体１２とがロックされている場面を、同じく６ｂは、リモコン操作によって貸出処理機１０のロックレバー５１を上記した解錠姿勢とした場面を、同じく６ｃは、枠体１２から本体１１を引き出した場面をそれぞれ示している。
【００５８】
図６の６ａの左側に示すように、本体１１と枠体１２とがロックされた状態では、上記したロック機構は６ａの右側に示した状態となる。なお、６ａの右側に示した図は図４の４ｂに示したものと同一の状態をあらわしたものである。すなわち、ロックレバー５１のフック部５１ｃが保持レバー５２の保持レバー回転軸（係合ピン）５２ａと係合することによって係止姿勢をとっている。
【００５９】
そして、図６の６ｂに示すように、作業員がリモコンを用いて解錠指示を送信すると、ソレノイド６１が作動することによって、ロックレバー５１と保持レバー５２との係合が解除され、ロックレバー５１は保持レバー５２の保持面５２ｃによって保持される（上記した解錠姿勢）。なお、６ｂの右側に示した図は図５の５ｂに示したものと同一の状態をあらわしたものである。
【００６０】
つづいて、図６の６ｃに示すように、作業員が本体１１を枠体１２から引き出すと、ロックレバー５１および保持レバー５２は、バネ付勢によって引き戻されて初期位置で静止する。なお、６ｃの右側に示した図は図４の４ａに示したものと同一の状態をあらわしたものである。このように、図６の６ｂに示した「解錠姿勢」を設けることによって、６ｂの手順と６ｃの手順とを独立して行うことができる。
【００６１】
次に、貸出処理機１０の構成について図７を用いて説明する。図７は、貸出処理機１０の構成を示すブロック図である（ただし、同図は、本体１１と枠体１２との施錠処理に関連する要素のみを抜粋したものである）。同図に示すように、貸出処理機１０は、本体１１と、枠体１２とを備えており、本体１１と枠体１２との施錠および解錠は施錠部１３によって行われる。なお、この施錠部１３は上記したロック機構からソレノイド６１を除いた部分である。
【００６２】
本体１１は、リモコンＩ／Ｆ部１１ａと、ソレノイド１１ｂと、Ｉ／Ｆ部１１ｃと制御部１１ｄと、記憶部１１ｇとを備えており、制御部１１ｄは照合部１１ｅと、施錠制御部１１ｆとをさらに備えている。また、記憶部１１ｇは解錠条件１１ｈを記憶している。そして、枠体１２は、Ｉ／Ｆ部１２ａと、電源部１２ｂとを備えている。
【００６３】
リモコンＩ／Ｆ部１１ａは、リモコンとの間で赤外線や電波を送受信することによってデータ交換を行うデバイスであり、受信したデータ（たとえば、解錠指示）を制御部１１ｄの照合部１１ｅに渡す処理を行う。また、ソレノイド１１ｂは、電源部１２ｂから電力供給を受けるとともに、制御部１１ｄの施錠制御部１１ｆの指示によって施錠部１３を構成するロックレバー５１を作動させるデバイスである。なお、本実施例においては、ソレノイド１１ｂを用いて施錠部１３を作動させることとしたが、モーターなどの駆動装置を用いることとしてもよい。
【００６４】
Ｉ／Ｆ部１１ｃは、本体１１が枠体１２にセットされた場合に、枠体１２のＩ／Ｆ部１２ａと接続されることによって、島コントローラや遊技台との通信を行うデバイスである。また、制御部１１ｄは、リモコンＩ／Ｆ部１１ａを介して受け取った解錠指示を記憶部１１ｇの解錠条件と照合し、照合に成功したことを条件としてソレノイド１１ｂを作動させ、施錠部１３を解錠させる処理を行う処理部である。
【００６５】
照合部１１ｅは、リモコンＩ／Ｆ部１１ａを介して受け取った解錠指示を記憶部１１ｇの解錠条件１１ｈと照合する処理を行う処理部である。具体的には、この照合部１１ｅは、解錠指示に含まれる暗証番号や従業員番号といったデータを、記憶部１１ｇに記憶された解錠条件１１ｈに含まれるデータと照合する処理を行う。そして、照合に成功した場合には、施錠制御部１１ｆに対して照合に成功した旨を通知する。
【００６６】
施錠制御部１１ｆは、照合部１１ｅから照合成功の通知を受け取った場合に、ソレノイド１１ｂに対して作動を指示する処理を行う処理部である（ソレノイド１１ｂの作動については図５の５ａを参照）。記憶部１１ｇは、磁気ディスク装置や不揮発性メモリなどから構成された記憶部であり解錠条件１１ｈを記憶する。解錠条件１１ｈは、貸出処理機１０の解錠に必要な暗証番号や従業員番号といったデータである。なお、この解錠条件１１ｈは、記憶部１１ｇに予め記憶させることとしてもよいし、Ｉ／Ｆ部１１ｃを介することによって、図３に示した管理装置などから取得することとしてもよい。
【００６７】
枠体１２は、Ｉ／Ｆ部１２ａおよび電源部１２ｂを備えており、枠体１２に本体１１がセットされると、Ｉ／Ｆ部１２ａは本体のＩ／Ｆ部１１ｃと接続されるとともに、電源部１２ｂは本体１１に対して電力を供給する。この電力供給によって本体１１は動作することになる。施錠部１３は、本体１１と枠体１２との施錠／解錠を行うロック機構である。この施錠部１３については、図４〜図６を用いて既に説明したので、ここでの説明は省略することとする。
【００６８】
次に、図７で説明した貸出処理機１０の解錠処理について図８および図９を用いて説明する。図８は、電動による解錠処理の処理手順を示すフローチャートであり、図９は、手動による解錠処理の処理手順を示すフローチャートである。図８に示すように、リモコンＩ／Ｆ部１１ａがリモコンから解錠指示信号を受信すると（ステップＳ１０１）、照合部１１ｅが照合の成否を判定する（ステップＳ１０２）。そして、照合に成功した場合には（ステップＳ１０２，Ｙｅｓ）、施錠制御部１１ｆがソレノイド１１ｂの励磁によってロックレバー５１を回転させ保持レバー５２との係合を解除する（ステップＳ１０３）。なお、照合に失敗した場合には（ステップＳ１０２，Ｎｏ）、ステップＳ１０２の処理を繰り返すことになる。
【００６９】
そして、図５の５ｂに示したように、保持レバー５２がロックレバー５１を解錠姿勢で保持する（ステップＳ１０４）。つづいて、作業員によって本体が引き抜かれたならば（ステップＳ１０５，Ｙｅｓ）、ロックレバー５１と保持レバー５２とがバネ付勢によって初期姿勢に復帰して（ステップＳ１０６）処理を終了する。
【００７０】
このように、本体と枠体とが分離した状態では、保持レバー５２およびロックレバー５１は初期姿勢に戻るので、本体を枠体にセットする場合には、本体を枠体にスライドさせていくだけで保持レバー５２とロックレバー５１とを係合させることができる。なお、本体が引き抜かれない場合には（ステップＳ１０５，Ｎｏ）、ロックレバー５１は保持レバー５２によって解錠姿勢に保持されたままステップＳ１０５の処理を繰り返すことになる。
【００７１】
次に、貸出処理機１０の故障時や非通電時における手動による解錠処理の処理手順について説明する。図９に示すように、手動操作によってロックレバー５１を回転させ保持レバー５２との係合を解除すると（ステップＳ２０１）、保持レバー５２がロックレバー５１を解錠姿勢で保持する（ステップＳ２０２）。
【００７２】
つづいて、作業員によって本体が引き抜かれたならば（ステップＳ２０３，Ｙｅｓ）、ロックレバー５１と保持レバー５２とがバネ付勢によって初期姿勢に復帰して（ステップＳ２０４）処理を終了する。一方、本体が引き抜かれない場合には（ステップＳ２０３，Ｎｏ）、ロックレバー５１は保持レバー５２によって解錠姿勢に保持されたままステップＳ２０３の処理を繰り返すことになる。
【００７３】
上述してきたように、本実施例では、固定された枠体と、この枠体と着脱可能に構成された本体とからなる貸出処理機のロック機構が、一端が枠体後方に延設され他端がソレノイドに接続されたロックレバーと、施錠時にはロックレバーと係合するとともに、解錠時にはロックレバーとの係合を解除した解錠姿勢で保持する保持レバーとを備えるよう構成した。したがって、ロック機構の解錠／施錠操作が容易であり、かつ、非通電時であっても解錠操作を行うことができる。
【００７４】
なお、上記した実施例においては、手動による施錠手段として、ロックレバーの一端を枠体の後方まで延設して手動操作部を形成する場合について説明した。しかしながら、これに限らず、ロックレバーにワイヤーやリンク機構を接続し、他端を枠体の上方あるいは本体の上方に案内して手動操作部を形成することとしてもよい。このようにすることで、併設される遊技機を開閉することなく貸出処理機を解錠することができる。さらには、ロックレバーを貸出処理機本体の前面に配置される錠機構と連結し、錠機構に挿入された鍵の回動によってロックレバーを操作することとしてもよい。
【００７５】
また、上記した実施例においては、本発明に係るロック機構を貸出処理機に適用した場合について説明したが、これに限らず、複数のブロックからなる装置や複数の装置の解錠／施錠に、かかるロック機構を適用することとしてもよい。
【産業上の利用可能性】
【００７６】
以上のように、本発明に係る貸出処理機は、メンテナンス作業や交換作業の作業効率を向上させたい場合に有用であり、特に、非通電時においてもメンテナンス作業や交換作業を行いたい場合に適している。
【図面の簡単な説明】
【００７７】
【図１】本実施例に係る貸出処理機の特徴を示す図である。
【図２】貸出処理機の外観図である。
【図３】貸出処理機の配置例を示す図である。
【図４】施錠を行う際の、ロックレバーおよび保持レバーの動作を示す図である。
【図５】解錠を行う際の、ロックレバーおよび保持レバーの動作を示す図である。
【図６】貸出処理機の本体の取り外し手順とロック機構との対応図である。
【図７】貸出処理機の構成を示すブロック図である。
【図８】電動による解錠処理の処理手順を示すフローチャートである。
【図９】手動による解錠処理の処理手順を示すフローチャートである。
【符号の説明】
【００７８】
１０  貸出処理機
１０ａ  遊技機（遊技台）
１１  本体
１１ａ  リモコンＩ／Ｆ部
１１ｂ  ソレノイド
１１ｃ  Ｉ／Ｆ部
１１ｄ  制御部
１１ｅ  照合部
１１ｆ  施錠制御部
１１ｇ  記憶部
１１ｈ  解錠条件
１２  枠体
１２ａ  Ｉ／Ｆ部
１２ｂ  電源部
１３  施錠部
５１  ロックレバー
５１ａ  ロックレバー回転軸
５１ｂ  係合ピン
５１ｃ  フック部
５１ｄ  手動操作部
５２  保持レバー
５２ａ  保持レバー回転軸（係合ピン）
５２ｂ  押込面
５２ｃ  保持面
６１  ソレノイド
６１ａ  可動部
【図１】
2007029533.tif 000003
【図２】
2007029533.tif 000004
【図３】
2007029533.tif 000005
【図４】
2007029533.tif 000006
【図５】
2007029533.tif 000007
【図６】
2007029533.tif 000008
【図７】
2007029533.tif 000009
【図８】
2007029533.tif 000010
【図９】
2007029533.tif 000011